(57)【特許請求の範囲】
【請求項１】
皿型スターリング太陽光発電装置（１）を含み、昼夜連続運転が可能な皿型スターリング太陽光発電機であって、前記皿型スターリング太陽光発電装置（１）は、受熱器（１ｂ）と、前記受熱器（１ｂ）を支持する第１ブラケット（１ａ）と、皿形ミラー（１ｃ）と、前記皿形ミラー（１ｃ）を支持する第２ブラケット（１ｄ）と、開口を含む燃焼器（２）と、前記燃焼器の位置を調節する位置調節機構（３）と、前記燃焼器へ燃料を供給する燃料供給システムを含み、前記第１ブラケット（１ａ）は前記皿形ミラー（１ｃ）に固定され、前記第２ブラケット（１ｄ）は太陽光追跡装置を含み、前記位置調節機構（３）は、前記燃焼器開口を、前記受熱器に対して整列または偏位させるように調節することが可能であり、前記位置調節機構（３）は前記第１ブラケット（１ａ）上に載置され、前記燃焼器（２）は前記位置調節機構（３）上に載置され、前記燃料供給システムはメインスイッチ弁（４ｃ）、分岐スイッチ弁（５）、調整弁（６）および可撓性搬送管（７）を含み、該可撓性搬送管（７）を介して前記燃焼器（２）と連結される、太陽光発電機。
【請求項２】
前記位置調節機構（３）は伸縮機構であり、前記伸縮機構の駆動装置はリニアアクチュエータを用いるものであり、前記燃焼器（２）は前記伸縮機構の出力端に載置される、請求項１の太陽光発電機。
【請求項３】
前記位置調節機構（３）は屈曲式連結機構であり、前記屈曲式連結機構の連結ロッドは回転アクチュエータを介して連結され、前記燃焼器（２）は前記屈曲式連結機構の出力端に載置される、請求項１の太陽光発電機。
【請求項４】
前記屈曲式連結機構は、第１連結ロッド（３ｄ）、第２連結ロッド（３ｅ）、および第３連結ロッド（３ｆ）を含む三重連結機構であり、前記連結ロッドは前記回転アクチュエータ（３ｇ）を介して互いにつながり、前記第１連結ロッド（３ｄ）は前記回転アクチュエータ（３ｇ）を介して、前記第１ブラケット（１ａ）と連結される、請求項３の太陽光発電機。
【請求項５】
前記燃料供給システムは、ガス貯蔵タンク（４ａ）、ポンプ（４ｂ）、前記メインスイッチ弁（４ｃ）、前記分岐スイッチ弁（５）、前記調整弁（６）、および前記可撓性搬送管（７）を含む可燃性ガス供給システムであり、それらは配管を介して連結される、請求項１、２または３の太陽光発電機。
【請求項６】
前記燃料供給システムは、バイオマスガス化装置（４）、浄化装置（４ｄ）、前記ガス貯蔵タンク（４ａ）、前記ポンプ（４ｂ）、前記メインスイッチ弁（４ｃ）、前記分岐スイッチ弁（５）、前記調整弁（６）、および前記可撓性搬送管（７）を含むバイオマスガス供給システムであり、それらは配管を介して連結される、請求項５の太陽光発電機。
【請求項７】
前記燃料供給システムは、液体貯蔵タンク（４ａ）、ポンプ（４ｂ）、前記メインスイッチ弁（４ｃ）、前記分岐スイッチ弁（５）、前記調整弁（６）、および前記可撓性搬送管（７）を含む液体燃料供給システムであり、それらは配管を介して連結される、請求項１、２または３の太陽光発電機。
【請求項８】
前記燃料供給システムは、バイオマス液状化装置（４）、浄化装置（４ｄ）、前記ガス貯蔵タンク（４ａ）、前記ポンプ（４ｂ）、前記メインスイッチ弁（４ｃ）、前記分岐スイッチ弁（５）、前記調整弁（６）、および前記可撓性搬送管（７）を含む液状化バイオマス供給システムであり、それらは配管を介して連結される、請求項７の太陽光発電機。
【請求項９】
前記燃料供給システムは、ガス貯蔵タンク（４ａ）、ポンプ（４ｂ）、前記メインスイッチ弁（４ｃ）、前記分岐スイッチ弁（５）、前記調整弁（６）および前記可撓性搬送管（７）を含む可燃性ガス供給システムであり、それらは配管を介して連結される、請求項４の太陽光発電機。
【請求項１０】
前記燃料供給システムは、バイオマスガス化装置（４）、浄化装置（４ｄ）、前記ガス貯蔵タンク（４ａ）、前記ポンプ（４ｂ）、前記メインスイッチ弁（４ｃ）、前記分岐スイッチ弁（５）、前記調整弁（６）、および前記可撓性搬送管（７）を含むバイオマスガス供給システムであり、それらは配管を介して連結される、請求項９の太陽光発電機。
【請求項１１】
前記燃料供給システムは、液体貯蔵タンク（４ａ）、ポンプ（４ｂ）前記メインスイッチ弁（４ｃ）、前記分岐スイッチ弁（５）、前記調整弁（６）、および前記可撓性搬送管（７）を含む液体燃料供給システムであり、それらは配管を介して連結される、請求項４の太陽光発電機。
【請求項１２】
前記燃料供給システムは、バイオマス液状化装置（４）、浄化装置（４ｄ）、前記液体貯蔵タンク（４ａ）、前記ポンプ（４ｂ）、前記メインスイッチ弁（４ｃ）、前記分岐スイッチ弁（５）、前記調整弁（６）、および前記可撓性搬送管（７）を含む液状化バイオマス供給システムであり、それらは配管を介して連結される、請求項１１の太陽光発電機。
【発明の詳細な説明】
【技術分野】
【０００１】
本発明は、昼夜連続運転が可能な皿形スターリング太陽光発電機に関し、従来の化石エネルギをスターリング太陽光発電ユニットと組み合わせた発電の補完的な方法に属し、また、バイオマスクリーンエネルギをスターリング太陽光発電ユニットと組み合わせた補完的な発電の分野に属する。
【背景技術】
【０００２】
従来の化石エネルギ（石炭、石油および天然ガス）の埋蔵量は一層少なくなると共に、化石エネルギによってもたらされる環境汚染問題は、人類の生存および発展を直接脅かすものになってきているので、再生可能なクリーンエネルギを開発することに注目し重視することは、様々な国において政府の合意するところである。太陽エネルギは、広範囲におよび、埋蔵量に制限がなく、回収および利用がクリーンであり、且つ、二酸化炭素が排出されない。従って、太陽エネルギは、一層多くの人々の関心となっている。
【０００３】
太陽エネルギ回収方法によれば、太陽エネルギを利用する現在の発電方法は、太陽光発電を集中させる塔、太陽光発電を集中させるパラボラトラフ、および皿型スターリング太陽光発電を含む。
【０００４】
皿形スターリング太陽光発電ユニットは、自動的に太陽を二次元で追跡することができ、また光電変換効率が高く、始動損失が低い。皿型スターリング太陽光発電ユニットは、これまで太陽光発電効率が最も高いシステムであり、３０％を超えていた。システムは殆ど水を消費することなく、また出力効率は２６％に達する（自己追跡機構はエネルギを消費する）。
【発明の概要】
【発明が解決しようとする課題】
【０００５】
しかし、地上で回収が可能な太陽光は、昼間は入手できるが夜間は入手できず、晴れた日には強く曇りでは弱い。従って、皿形スターリング太陽光発電機は動作が不安定であり、また２４時間連続して作動することができないので、使用が著しく制限される。
【０００６】
植物の光合成によって生成される有機物として、バイオマスは広く分布し、埋蔵量が大きく、化石エネルギよりもかなりクリーンであり、二酸化炭素が放出されないことを特徴としている。バイオマスは、固体状態、液体状態、および気体状態で燃焼が可能な唯一のクリーンエネルギであり、極めて重要な再生可能資源でもある。
【０００７】
様々なバイオマス液状化技術、バイオマスガス化技術、および可燃性ガスや可燃性液体の燃焼器技術が、これまでかなり開発され周知となってきた。
【課題を解決するための手段】
【０００８】
従来の皿型スターリング太陽光発電装置の上記技術課題を克服するために、また、皿型スターリング太陽光発電装置の不安定な作動や非連続発電といった問題を解決するために、本発明の目的の一つは、昼夜連続運転が可能な皿型スターリング太陽光発電機を提供することにある。気体燃料または液体燃料が、皿型スターリング太陽光発電機の第２熱源として使用される。夜間や曇天時には、太陽光が非常に弱く、発電機が定格回転数に達することができず、或いは所定のエネルギを出力することができない時には、可燃性ガス（可燃性液体）が補給され、発電のために熱が供給されることにより、夜間に発電ができず、また皿型スターリング太陽光発電システムの作動が不安定であるといった問題が解消される。
【０００９】
また、バイオマス燃料を第２熱源として利用する時には、太陽エネルギとバイオマスエネルギを組み合わせるという技術問題が解消されるので、本発明には、二酸化炭素の排出がなく、また再生可能でクリーンなエネルギ源を使用する発電という効果がもたらされる。
【００１０】
本発明の技術的解決方法としては、昼夜連続運転が可能な皿型スターリング太陽光発電機は皿型スターリング太陽光発電装置を含む。皿型スターリング太陽光発電装置は、受熱器と、前記受熱器を支持する第１ブラケットと、皿形ミラーと、前記皿形ミラーを支持する第２ブラケットと、開口を含む燃焼器と、燃焼器の位置を調節する位置調節機構と、前記燃焼器へ燃料を供給する燃料供給システムを含む。前記第１ブラケットは前記皿形ミラーに固定され、前記第２ブラケットは太陽光追跡装置を含み、位置調節機構は、燃焼器の開口を、受熱器に対して整列させ或いは偏位させるように調節することができる。位置調節機構は、第１ブラケット上に載置される。燃焼器は位置調節機構上に載置される。燃料供給システムは、メインスイッチ弁、分岐スイッチ弁、調整弁、および可撓性搬送管を含み、該可撓性搬送管（７）を介して、燃焼器と連結される。
【００１１】
位置調節機構は伸縮機構であり、伸縮機構の駆動装置は、リニアアクチュエータを用い、且つ、燃焼器は伸縮機構の出力端に載置される。
【００１２】
位置調節機構は屈曲式連結機構である。屈曲式連結機構の連結ロッドは、回転アクチュエータ（空気式回転アクチュエータ、液圧式回転アクチュエータ、電気式回転アクチュエータを含む）を介して連結される。燃焼器は、屈曲式連結機構の出力端に載置される。
【００１３】
好適には、屈曲式連結機構は、第１連結ロッド、第２連結ロッド、および第３連結ロッドを含む三重連結機構である。連結ロッドは、回転アクチュエータを介して、互いにつながる。第１連結ロッドは、回転型アクチュエータを介して、第１ブラケット（１ａ）と連結される。
【００１４】
燃料供給システムは、ガス貯蔵タンク、ポンプ、メインスイッチ弁、分岐スイッチ弁、調整弁、および可撓性搬送管を含む可燃性ガス供給システムであり、それらは配管を介して連結される。
【００１５】
好適には、燃料供給システムは、バイオマスガス化機器、浄化装置、ガス貯蔵タンク、ポンプ、メインスイッチ弁、分岐スイッチ弁、調整弁、および可撓性搬送管を含むバイオマス供給システムであり、それらは配管を介して連結される。
【００１６】
燃料供給システムは、ガス貯蔵タンク、ポンプ、メインスイッチ弁、分岐スイッチ弁、調整弁、および可撓性搬送管を含む液体燃料供給システムであり、それらは配管を介して連結される。
【００１７】
好適には、燃料供給システムは、バイオマス液状化装置、浄化装置、ガス貯蔵タンク、ポンプ、メインスイッチ弁、分岐スイッチ弁、調整弁、および可撓性搬送管を含む液状化バイオマス供給システムであり、それらは配管を介して連結される。
【００１８】
燃焼器の位置調節機構は夜間（或いは太陽光が十分ではない曇天や雨天時）に始動させられ、燃焼器を、皿型スターリング太陽光発電装置の受熱器位置まで移動させる。燃料が供給および着火させられて、受熱器を加熱することにより、皿型スターリング太陽光発電装置は発電を継続する。
【００１９】
燃焼装置用のガス燃料は天然ガス（メタン、炭鉱ガス、コークスガス、溶鉱炉ガス、または油井回収ガス）である。太陽光が存在しない（または太陽光が不十分である）状態では、天然ガスが燃焼させられて、確実にスターリング太陽光発電装置は昼夜連続運転する。
【００２０】
燃焼装置用のガス燃料は、ディーゼルオイル（灯油、ガソリン、黒色鉱物オイル、カルビノールまたはアルコール）である。太陽光が存在しない（または太陽光が不十分である）状態では、ディーゼルオイルが燃焼させられて、確実にスターリング太陽光発電装置は昼夜連続運転する。
【発明の効果】
【００２１】
本発明の効果は以下のとおりに要約される：ガス燃料または液体燃料が皿型スターリング太陽光発電機の第２熱源として使用される。夜間または曇天では、太陽光が極めて弱く、発電機が定格回転速度に達し得ず、又は所定のエネルギを出力し得ない時には、可燃性ガス（可燃性液体）が補給され、発電のために熱が供給されるので、夜間に発電ができず、また皿型スターリング太陽光発電システムの作動が不安定であるといった問題が解決される。
【００２２】
本発明は特に、バイオマスガス化エネルギまたは液状化エネルギをスターリング太陽光発電装置と組み合わせて、連続且つ安定した運転が可能なクリーンエネルギ発電機を形成する。
【００２３】
本発明の技術的解決方法は、太陽エネルギをバイオマスエネルギと組み合わせることによる発電を含み、これは、発電が安定的であり、天候の変動による影響が少なく、ほぼ水を消費せず、また二酸化炭素の排出がないという点で優れている。
【図面の簡単な説明】
【００２４】
【図１】本発明の一実施形態に係る皿型スターリング太陽光発電機を示す概略図。
【図２】本発明の燃焼器の位置調節機構を示す概略図であり、位置調節機構は屈曲連結機構を用いる。
【図３】本発明の屈曲連結機構を示す部分拡大図。
【図４】本発明のスターリング発電機を示すシステム図。
【発明を実施するための形態】
【００２５】
図１において、符号１は皿型スターリング太陽光発電装置を表し、１ａは皿型スターリング太陽光発電装置の受熱器１ｂを支持するブラケットを表し、１ｂは皿型スターリング太陽光発電装置の受熱器を表し、１ｃは皿型ミラーを表し、１ｄは皿型ミラーのブラケットを表し、ブラケットは太陽光追跡装置を含み、２は燃焼器を表し、２ｃは燃焼器の移動方向を表し、２ｄは燃焼器の移動端を表し、３は空気、液体、または電気駆動式伸縮機構のいずれであってもよい燃焼器位置調節機構を表し、４はバイオマスガス化装置またはバイオマス液状化装置を表し、４ａはガスまたは液体貯蔵タンクを表し、４ｂはポンプを表し、４ｃはメインスイッチ弁を表し、４ｄは浄化装置を表し、５は分岐スイッチ弁を表し、６は調節弁を表し、７は燃焼器２の燃料入口と連結される可撓性搬送管を表す。
【００２６】
図２および図３において、符号１は皿型スターリング太陽光発電装置を表し、１ａは皿型スターリング太陽光発電装置の受熱器１ｂを支持するブラケットを表し、１ｂは皿型スターリング太陽光発電装置の受熱器を表し、１ｃは皿型ミラーを表し、１ｄは皿型ミラーのブラケットを表し、ブラケットは太陽光追跡装置を含み、２は燃焼器を表し、２ｄは燃焼器の最適加熱位置を表し、３ｄは第１連結ロッドを表し、３ｅは第２連結ロッドを表し、３ｆは第３連結ロッドを表し、３ｇは回転アクチュエータを表し、第１連結ロッド３ｄの始端は３ｇ１を介して１ａと連結されており、３ｄの終端は３ｇ２を介して３ｅの始端と連結され、３ｅの終端は３ｇ３を介して３ｆの始端と連結され、３ｆの終端は燃焼器２に固定され、５は分岐スイッチ弁を表し、６は調整弁を表し、７は燃焼器２の燃料入口と連結される可撓性搬送管を表す。５は燃料搬送管を介してメインスイッチ弁と連結され、図中の燃料供給システムは、図１のものと同じである。
【００２７】
図４では、４個の皿型スターリング太陽光発電装置が組み合わせられており、可燃性ガス（可燃性液体）供給システムを共有している。皿型スターリング太陽光発電装置の数は、所望する発電機の発電量に基づき、増加または減少させられてよい。
【００２８】
図４では、符号１は皿型スターリング太陽光発電装置を表し、１ａは皿型スターリング太陽光発電装置の受熱器１ｂを支持するブラケットを表し、１ｂは皿型スターリング太陽光発電装置の受熱器を表し、１ｃは皿型ミラーを表し、１ｄは皿型ミラーのブラケットを表し、ブラケットは太陽光追跡装置を含み、２は燃焼器を表し、２ｃは燃焼器の燃焼器の移動方向を表し、２ｄは燃焼器の移動端を表し、３は空気、液体または電気駆動式伸縮機構のいずれかである燃焼器位置調節機構を表し、４はバイオマスガス化装置またはバイオマス液状化装置を表し、４ａは貯蔵タンクを表し、４ｂはポンプを表し、４ｃはメインスイッチ弁を表し、４ｄは浄化装置を表し、５は分岐スイッチ弁を表し、６は調整弁を表し、７は燃焼器２の燃料入口と連結される可撓性搬送管を表す。
【００２９】
本発明の構造的配置、最良の形態、および技術的過程を、図面と併せて以下に説明するが、本発明は実施例に限定されるものではない。
【００３０】
昼夜連続運転が可能な皿型スターリング太陽光発電機は、燃焼器と、位置調節機構と、燃料供給システムを備えた皿型スターリング太陽光発電装置を含む。位置調節機構は皿型スターリング太陽光発電システムのブラケットに載置される。燃焼器は位置調節機構に配置される。位置調節機構は、燃焼器の開口を、皿型スターリング太陽光発電装置の受熱器と整列させるように調節することにより、受熱器は燃焼器の火炎によって加熱される。燃料供給システムは可撓性搬送管を介して燃焼器と連結される。
【実施例１】
【００３１】
図１に示すように、昼夜連続運転が可能な皿型スターリング太陽光発電機は、皿型スターリング太陽光発電装置１を含む。各皿型スターリング太陽光発電装置１には燃焼器２と、位置調節機構３と、燃料供給システムが設けられる。位置調節機構３は、皿型スターリング太陽光発電システムの受熱器１ｂを支持するブラケット１ａ上に載置される。燃焼器２は位置調節機構３に配置される。位置調節機構３は、燃焼器２の位置を調節可能にして、受熱器１ｂに夜間（または太陽光が存在しない曇天または雨天時）に継続して受熱を行わせる。燃焼器の燃料供給システムは、メインスイッチ弁４ｃ、分岐スイッチ弁５、調整弁６、可撓性搬送管７を介して、燃焼器に燃料を供給する。
【００３２】
位置調整機構３の駆動装置は、空気圧式リニアアクチュエータ、液圧式リニアアクチュエータおよび電気式リニアアクチュエータを含むリニアアクチュエータである。リニアアクチュエータ３のロッドは、燃焼器と連結される。駆動装置のケーシングはブラケット１ａに固定される（空気圧式リニアアクチュエータが用いられる場合、空気シリンダのケーシングがブラケット１ａに固定され、空気シリンダのピストンロッドが燃焼器と連結される）。
【００３３】
当然のことながら、一般的な液圧式オイルシリンダ、ガスシリンダ、および電磁レバー全てが、位置調節機構或いは位置調節機構の一部として用いられてよい。
【００３４】
燃焼器の燃料供給システムは、可燃性ガス（または可燃性液体）貯蔵タンク４ａ、ポンプ４ｂ、メインスイッチ弁４ｃ、分岐スイッチ弁５、調整弁６および可撓性搬送管７を含むバイオマスガス化装置またはバイオマス液状化装置４を含み、それらは配管を介して連結される。ガス燃料（液体燃料）の浄化装置４ｄは、燃料貯蔵タンクの前方に配置される配管ネットワークに載置される。ガス燃料浄化装置４ｄは、燃料を浄化することができる。
【００３５】
調整弁６は、燃料の流れを制御すると共に、熱供給の程度を変更するために使用される。
【００３６】
分岐スイッチ弁５は、単一のスターリング太陽光発電機の燃料供給の開始または停止を制御するために使用される。
【実施例２】
【００３７】
図２〜図３に示すように、燃焼器の位置調節機構は、屈曲式連結機構である。屈曲式連結機構の連結ロッドは、（空気圧式回転アクチュエータ、液圧式回転アクチュエータ、電気式回転アクチュエータを含む）回転アクチュエータを介して連結される。燃焼器２は屈曲式連結機構の出力端に載置される。
【００３８】
図２は、本発明の燃焼器の位置調節機構を示す概略図であり、位置調節機構は屈曲式連結機構を用いる。図３は、本発明の屈曲式連結機構の部分拡大図である。図２および図３において、符号１は皿型スターリング太陽光発電装置を表し、１ａは皿型スターリング太陽光発電装置の受熱器１ｂを支持するブラケットを表し、１ｂは皿型スターリング太陽光発電装置の受熱器を表し、１ｃは皿型ミラーを表し、１ｄは皿型ミラーのブラケットを表し、ブラケットは太陽光追跡装置を含み、２は燃焼器を表し、２ｄは燃焼器の最適加熱位置を表し、３ｄは第１連結ロッドを表し、３ｅは第２連結ロッドを表し、３ｆは第３連結ロッドを表し、３ｇは回転アクチュエータを表す。第１連結ロッド３ｄの始端は、３ｇ１を介して１ａと連結される。３ｄの終端は３ｇ２を介して３ｅの始端と連結される。３ｅの終端は、３ｇ３を介して３ｆの始端と連結される。３ｆの終端は燃焼器２に固定される。５は分岐スイッチ弁を表す。６は調整弁を表し、７は燃焼器２の燃料入口と連結される可撓性搬送管を表す。分岐スイッチ弁５は燃料搬送管を介してメインスイッチ弁と連結され、図の燃料供給システムは図１のものと同じである。
【実施例３】
【００３９】
図４は、本発明のスターリング発電機のシステム図である。
【００４０】
図４では、４個の皿型スターリング太陽光発電装置が組み合わせられており、それらは可燃性ガス（可燃性液体）供給システムを共有する。皿型スターリング太陽光発電装置の数は、所望する発電機の発電量に基づき、増加または減少させられてよい。
【００４１】
図４において、符号１は皿型スターリング太陽光発電装置を表し、１ａは皿型スターリング太陽光発電装置の受熱器１ｂを支持するブラケットを表し、１ｂは皿型スターリング発電装置の受熱器を表し、１ｃは皿型ミラーを表し、１ｄは皿型ミラーのブラケットを表し、ブラケットは太陽光追跡装置を含み、２は燃焼器を表し、２ｃは燃焼器の移動方向を表し、２ｄは燃焼器の移動端を表し、３は空気、液体、または電気駆動式伸縮機構のいずれであってもよい燃焼器の位置調節機構を表し、４はバイオマスガス化装置またはバイオマス液状化装置を表し、４ａは貯蔵タンクを表し、４ｂはポンプを表し、４ｃはメインスイッチ弁を表し、４ｄは浄化装置を表し、５は分岐スイッチ弁を表し、６は調整弁を表し、７は燃焼器２の燃料入口と連結される可撓性搬送管を表す。
【００４２】
燃焼装置の位置調節機構は夜間（或いは太陽光が不十分な曇天または雨天時）に開始させられ、燃焼装置の燃焼器を、皿型スターリング太陽光発電装置の受熱器の位置へ移動させ、燃料が供給および着火させられて、受熱器を加熱することにより、皿型スターリング太陽光発電装置は継続して発電する。従って、皿型スターリング太陽光発電ユニットが安定して作動せず、また２４時間連続運転することができないという問題が解消される。特に、バイオマス可燃性ガスまたはバイオマス可燃性液体が燃料として用いられる場合には、皿型スターリング太陽光発電装置は安定して、昼夜連続運転が可能である。
【００４３】
燃焼装置の燃料は、天然ガス（メタン、炭鉱ガス、コークスガス、溶鉱炉ガス、または油井回収ガス）に置き換えられて、スターリング太陽光発電装置が昼夜連続運転させられるようにしてもよい。好適には、バイオマスガス化ガスが用いられる。
【００４４】
燃焼装置用の燃料は、本発明のスターリング太陽光発電装置を昼夜連続運転させるために、バイオマス液体燃料、ディーゼルオイル、灯油、ガソリン、黒色鉱物オイル、カルビノールまたはアルコールである。好適には、バイオマスガス化液体が用いられる。
【００４５】
太陽光発電機には、（装置の出力や太陽エネルギ回収面積に応じて）複数の皿型スターリング太陽光発電装置が設けられる。各皿型スターリング太陽光発電装置は、ブラケット上に配置される燃焼器を含む。燃焼器の燃料供給システムは、スイッチ弁、調整弁、および可撓性搬送管を介して燃焼器に連結され、燃料を燃焼器へ供給する。燃焼器は位置調節機構と連結される。位置調節機構は皿型スターリング太陽光発電装置のブラケット上に載置される。各皿型スターリング太陽光発電装置には燃料供給システムが設けられ、或いは、複数の皿型スターリング太陽光発電装置は燃料供給システムを共有する。
【００４６】
本発明の要点としては、各皿型スターリング太陽光発電装置に燃焼装置が設けられることである。太陽光が存在しない（或いは太陽光が不十分である）状況では、燃焼装置の燃焼器はスターリング太陽光発電ユニットの受熱器の位置へ移動させられ、次に、燃焼器が着火させられて、受熱器を加熱する。従って、燃焼装置が個々に設けられるこれらの皿型スターリング太陽光発電装置は、本発明の保護範囲に含まれる。
【符号の説明】
【００４７】
１    皿型スターリング太陽光発電装置
２    燃焼器
３    位置調節機構
４    バイオマスガス化装置またはバイオマス液状化装置
５    分岐スイッチ弁
６    調整弁
７    可撓性搬送管
【図１】
0005855744.tif 000002
【図２】
0005855744.tif 000003
【図３】
0005855744.tif 000004
【図４】
0005855744.tif 000005